(57)【要約】【課題】  断熱性を向上させることができる、通水管用の鞘管を提供する。【解決手段】  鞘管１は、波付管からなる内管２と、その内管２の外側を被覆する外管３とを備える。ここで、内管２の外面には、外方への突出が相対的に小さい小凸条２ａが複数連続して並設される、小凸条部２０１と、外方への突出が相対的に大きい大凸条２ｂが一つ設けられる、大凸条部２０２とが、交互に形成されている。こうして、内管２の小凸条部２０１の外面と外管３の内面との間には、空気層４が形成される。【選択図】  図１
2006029382.tif 000002
【特許請求の範囲】
【請求項１】
通水管を保護すべく、内部に前記通水管が挿通される鞘管であって、
波付管からなる内管と、その内管の外側を被覆する外管とを備え、
前記内管の外面には、外方への突出が相対的に小さい小凸条が設けられる、小凸条部と、外方への突出が相対的に大きい大凸条が設けられる、大凸条部とが、前記内管の長手方向に交互に形成され、
前記外管は、その外管の内面が、前記大凸条の頂部に付着して設けられ、
前記内管の小凸条部の外面と前記外管の内面との間には、空気層が形成されてなることを特徴とする、通水管用の鞘管。
【請求項２】
前記小凸条部は、前記小凸条が、前記内管の長手方向に複数連続して並設されてなることを特徴とする請求項１に記載の、通水管用の鞘管。
【請求項３】
前記大凸条部は、前記大凸条が、一つ設けられてなることを特徴とする請求項１または２に記載の、通水管用の鞘管。
【請求項４】
前記小凸条部の、前記内管の長手方向における渡り長は、前記大凸条部の、前記内管の長手方向における渡り長よりも長いことを特徴とする請求項１ないし３のいずれか１項に記載の、通水管用の鞘管。
【請求項５】
前記大凸条は、前記内管の周方向に環状に形成されていることを特徴とする請求項１ないし４のいずれか１項に記載の、通水管用の鞘管。
【請求項６】
前記内管は、硬質の合成樹脂材料からなり、前記外管は、軟質の合成樹脂材料からなることを特徴とする請求項１ないし５のいずれか１項に記載の、通水管用の鞘管。
【請求項７】
前記鞘管の端部部分の前記外管を除去して前記小凸条部を露出させることで、その露出した小凸条部が、配管用ボックス、継手、その他の鞘管接続部材に接続される接続部となることを特徴とする請求項１ないし６のいずれか１項に記載の、通水管用の鞘管。
【発明の詳細な説明】
【技術分野】
【０００１】
この発明は、内部に通水管が挿通される、通水管用の鞘管に関するものである。
【背景技術】
【０００２】
従来、給水給湯、温水暖房等における通水管の配管においては、断熱効果を得るために、通水管を鞘管内に挿通したり、通水管の外面をアルミ箔や発泡断熱材で被覆したりしていた（例えば、特許文献１参照）。
【０００３】
【特許文献１】実開昭６３−６８５９５
【発明の開示】
【発明が解決しようとする課題】
【０００４】
しかし、上述の鞘管のみでは、十分な断熱効果は得られず、また、通水管の外面をアルミ箔や発泡断熱材で被覆するのは非常に手間を要した。とくに、通水管の外面を発泡断熱材で被覆すると、この通水管を鞘管内へ通管する作業が著しく困難となった。
【０００５】
そこで、上記断熱効果を得るための手段として、鞘管を波付管によって形成するとともに、その波付管の内周または外周に平滑管を付設して、二重管とし、それら波付管と平滑管との間の空気層により断熱効果を得ることが考えられる。しかし、かかる空気層は、波付管の凹部と平滑管との間の限られた僅かなスペースに形成されるものであって、十分な断熱効果を期待できるものではない。
【０００６】
この発明は、上記した従来の欠点を解決するためになされたものであり、その目的とするところは、断熱性を向上させることができる、通水管用の鞘管を提供することにある。
【課題を解決するための手段】
【０００７】
この発明に係る通水管用の鞘管は、前記目的を達成するために、次の構成からなる。すなわち、
請求項１に記載の発明に係る通水管用の鞘管は、通水管を保護すべく、内部に前記通水管が挿通される鞘管である。この鞘管は、波付管からなる内管と、その内管の外側を被覆する外管とを備える。ここで、前記内管の外面には、外方への突出が相対的に小さい小凸条が設けられる、小凸条部と、外方への突出が相対的に大きい大凸条が設けられる、大凸条部とが、前記内管の長手方向に交互に形成されている。そして、前記外管は、その外管の内面が、前記大凸条の頂部に付着して設けられ、前記内管の小凸条部の外面と前記外管の内面との間には、空気層が形成されている。
【０００８】
この鞘管によると、内管の外面には、小凸条部と大凸条部とが、内管の長手方向に交互に形成されており、この大凸条部により、内管の小凸条部の外面と外管の内面との間に、容積の大きな空気層が形成される。こうして、内管と外管との間に、前記空気層による、大きな断熱層を設けることができ、この鞘管による断熱性が向上する。
【０００９】
また、請求項２に記載の発明に係る通水管用の鞘管は、請求項１に記載の鞘管において、前記小凸条部は、前記小凸条が、前記内管の長手方向に複数連続して並設されてなる。こうして、内管の小凸条部は、小凸条が、内管の長手方向に複数連続して並設されて形成されることから、この小凸条部の外面と外管の内面との間に形成される空気層は、その容積が一層大きくなる。こうして、内管と外管との間に、前記空気層による、一層大きな断熱層を設けることができ、この鞘管による断熱性が一層向上する。
【００１０】
また、請求項３に記載の発明に係る通水管用の鞘管は、請求項１または２に記載の鞘管において、前記大凸条部は、前記大凸条が、一つ設けられてなる。
【００１１】
また、請求項４に記載の発明に係る通水管用の鞘管は、請求項１ないし３のいずれか１項に記載の鞘管において、前記小凸条部の、前記内管の長手方向における渡り長は、前記大凸条部の、前記内管の長手方向における渡り長よりも長くなっている。これにより、内管と外管との間の空気層の全体の容積が大きくなり、この空気層によって、十分な断熱層を設けることができる。
【００１２】
また、請求項５に記載の発明に係る通水管用の鞘管は、請求項１ないし４のいずれか１項に記載の鞘管において、前記大凸条は、前記内管の周方向に環状に形成されている。これにより、内管の小凸条部の外面と外管の内面との間に形成される空気層は、それぞれが、大凸条によって閉塞される。このため、それら空気層間の空気の流れが遮断され、この鞘管による断熱性がより一層向上する。
【００１３】
また、請求項６に記載の発明に係る通水管用の鞘管は、請求項１ないし５のいずれか１項に記載の鞘管において、前記内管は、硬質の合成樹脂材料からなり、前記外管は、軟質の合成樹脂材料からなる。
【００１４】
また、請求項７に記載の発明に係る通水管用の鞘管は、請求項１ないし６のいずれか１項に記載の鞘管において、前記鞘管の端部部分の前記外管を除去して前記小凸条部を露出させることで、その露出した小凸条部が、配管用ボックス、継手、その他の鞘管接続部材に接続される接続部となる。こうして、鞘管の端部部分の外管を除去して小凸条部を露出させれば、その露出した小凸条部が、鞘管接続部材に接続される接続部となるため、この鞘管接続部材への接続に支障をきたすことがない。
【発明の効果】
【００１５】
この発明に係る通水管用の鞘管によれば、内管の小凸条部の外面と外管の内面との間に形成される空気層により、内管と外管との間に大きな断熱層を設けることができ、この鞘管による断熱性を向上させることができる。
【発明を実施するための最良の形態】
【００１６】
以下、この発明に係る通水管用の鞘管を実施するための最良の形態を図面に基づいて説明する。
【００１７】
図１ないし図３は、本発明の一実施の形態を示す。図中符号１は、通水管５を保護すべく、内部に前記通水管５が挿通される鞘管である。この鞘管１は、図１および図２に示すように、波付管からなる内管２と、その内管２の外側を被覆する外管３とを備えている。そして、これら内管２と外管３とは、例えば、合成樹脂材料製であり、特に、内管２は、硬質の合成樹脂材料からなり、外管３は、軟質の合成樹脂材料からなっている。
【００１８】
ここで、内管２の外面には、外方への突出が相対的に小さい小凸条２ａが設けられる、小凸条部２０１と、外方への突出が相対的に大きい大凸条２ｂが設けられる、大凸条部２０２とが、内管２の長手方向に交互に形成されている。図示実施の形態においては、小凸条部２０１は、前記小凸条２ａが、内管２の長手方向に複数連続して並設されてなる。そして、大凸条部２０２は、前記大凸条２ｂが、一つ設けられてなる。また、小凸条部２０１の、内管２の長手方向における渡り長Ｌ１は、大凸条部２０２の、内管２の長手方向における渡り長Ｌ２よりも長くなっている。また、小凸条２ａは、内管２の周方向に環状に形成されている。そして、大凸条２ｂもまた、内管２の周方向に環状に形成されている。
【００１９】
一方、外管３は、その外管３の内面が、前記大凸条２ｂの頂部２ｃに付着するようにして設けられている。そして、図示実施の形態においては、この外管３は、平滑な筒状形状をしている。
【００２０】
そこで、これら内管２と外管３とにより、内管２の小凸条部２０１の外面と外管３の内面との間には、前記小凸条部２０１の外周を覆う空気層４が形成される。
【００２１】
また、この鞘管１は、図３に示すように、鞘管１の端部部分の外管３を除去して、小凸条部２０１を露出させることで、その露出した小凸条部２０１が、配管用ボックス、継手、その他の鞘管接続部材６に接続される接続部２ｄとなる。ここにおいて、小凸条部２０１の、内管２の長手方向における渡り長Ｌ１は、鞘管接続部材６における、前記接続部２ｄが挿入される受口６ａよりも長くなっている。そして、この受口６ａには、鞘管１を抜止めするために、その鞘管１における小凸条２ａに係合する、係止爪等の係止片６ｂが設けられている。そして、これら鞘管１と鞘管接続部材６とで、鞘管装置７が構成される。なお、図中符号８は、鞘管接続部材６に収容されて、前記通水管５が接続される管継手である。また、９は、建物の壁である。
【００２２】
この通水管用の鞘管１によると、内管２の外面には、小凸条部２０１と大凸条部２０２とが、内管２の長手方向に交互に形成されており、この内管２の大凸条部２０２により、内管２の小凸条部２０１の外面と外管３の内面との間に、容積の大きな空気層４が形成される。こうして、内管２と外管３との間に、前記空気層４による、大きな断熱層を設けることができ、この鞘管１による断熱性を向上させることができる。その上、内管２の小凸条部２０１は、小凸条２ａが、内管２の長手方向に複数連続して並設されて形成されることから、この小凸条部２０１の外面と外管３の内面との間に形成される空気層４は、その容積が一層大きくなる。こうして、内管２と外管３との間に、前記空気層４による、一層大きな断熱層を設けることができ、この鞘管１による断熱性が一層向上する。
【００２３】
しかも、小凸条部２０１の、内管２の長手方向における渡り長Ｌ１は、大凸条部２０２の、同じく内管２の長手方向における渡り長Ｌ２よりも長くなっている。したがって、内管２と外管３との間の空気層４の全体の容積が大きくなり、この空気層４によって、十分な断熱層を設けることができる。その上、大凸条２ｂは、内管２の長手方向に環状に形成されており、内管２の小凸条部２０１、２０１の外面と外管３の内面との間に形成される空気層４、４は、それぞれが、大凸条２ｂによって閉塞される。このため、それら空気層４、４間の空気の流れが遮断され、この鞘管１による断熱性がより一層向上する。
【００２４】
また、内管２は、硬質の合成樹脂材料からなりながら、波付管であり、そして、外管３は、平滑な筒状形状でありながら、軟質の合成樹脂材料からなるため、これら内管２と外管３とから構成される鞘管１は、その屈曲性がそれほど損なわれない。しかも、内管２が、波付管からなることから、鞘管１内に通水管５を挿通する際に、内管２の内側の波形状によって摩擦抵抗が軽減され、通水管５を円滑に挿通することができる。
【００２５】
また、鞘管１の端部部分の外管３を除去して小凸条部２０１を露出させれば、その露出した小凸条部２０１が、鞘管接続部材６に接続される接続部２ｄとなるため、この鞘管接続部材６への接続に支障をきたすことがない。
【００２６】
なお、本発明は、上述した実施の形態に限定されるわけではなく、その他種々の変更が可能である。例えば、外管３は、平滑な筒状形状をしているが、必ずしも平滑である必要はなく、内管２の小凸条部２０１の外面と外管３の内面との間に、空気層４が形成されるのであれば、この外管３は、波付管であってもよい。
【００２７】
また、内管２における小凸条２ａと大凸条２ｂとは、内管２の周方向に環状に形成されているが、小凸条２ａおよび大凸条２ｂの両方、あるいは、小凸条２ａと大凸条２ｂのいずれか一方は、螺旋状に形成されてもよい。
【図面の簡単な説明】
【００２８】
【図１】この発明の一実施の形態の、鞘管の縦断面図である。
【図２】同じく、図１におけるＡ−Ａ線による断面図である。
【図３】同じく、鞘管の端部部分の外管を除去するとともに、その鞘管を鞘管接続部材に接続した状態を示す断面図である。
【符号の説明】
【００２９】
１  鞘管
２  内管
２ａ  小凸条
２ｂ  大凸条
２ｃ  頂部
２ｄ  接続部
３  外管
４  空気層
５  通水管
６  鞘管接続部材
２０１  小凸条部
２０２  大凸条部
Ｌ１  小凸条部の渡り長
Ｌ２  大凸条部の渡り長
【図１】
2006029382.tif 000003
【図２】
2006029382.tif 000004
【図３】
2006029382.tif 000005